(57)【要約】【課題】コストの上昇及び大型化を招くことなく色調不良の補正を行う色調補正モードへの切り替えを行うことのできる撮影装置を得る。【解決手段】ＣＣＤエリアセンサ１０２によって被写体が撮像され当該被写体を示す画像情報が取得され、顔検出回路１２８によってＣＣＤエリアセンサ１０２により取得された画像情報により示される被写体から人の顔の領域である顔領域が検出される。そして、操作部１３６が、顔検出撮影モード及び通常撮影モードの間で、撮影モードを切り替える際に操作され、ＣＰＵ１１０によって、操作部１３６に対する操作に連動して、撮影画像情報により示される被写体における人の瞳の領域である瞳領域に色調不良が生じている場合に当該色調不良の補正を行う色調補正モードへの移行、及び色調補正モードからの復帰が切り替えられる。【選択図】図２
2009049639.tif 000002
【特許請求の範囲】
【請求項１】
被写体を撮像して当該被写体を示す画像情報を取得する撮像手段と、
前記撮像手段により取得された前記画像情報により示される被写体から人の顔の領域である顔領域を検出する顔検出手段と、
撮影の実行指示が入力された場合に前記顔検出手段による顔領域の検出を伴う前記撮像手段を用いた撮影を行って撮影画像情報を得る顔検出撮影モード、及び撮影の実行指示が入力された場合に前記顔領域の検出を行うことなく前記撮像手段を用いた撮影を行って撮影画像情報を得る通常撮影モードの間で、撮影モードを切り替える際に操作される操作手段と、
前記操作手段に対する操作に連動して、前記撮影画像情報により示される被写体における人の瞳の領域である瞳領域に色調不良が生じている場合に当該色調不良の補正を行う色調補正モードへの移行、及び当該色調補正モードからの復帰を切り替える切替手段と、
を備えた撮影装置。
【請求項２】
前記操作手段は、前記顔検出撮影モード及び前記色調補正モードを実行する第１の撮影モード、前記顔検出撮影モードを実行し、かつ前記色調補正モードを実行しない第２の撮影モード、及び前記通常撮影モードを実行し、かつ前記色調補正モードを実行しない第３の撮影モードの間で、撮影モードを切り替える際に操作されることを特徴とする請求項１に記載の撮影装置。
【請求項３】
前記操作手段は、前記顔検出撮影モード及び前記色調補正モードを実行する第１の撮影モード、及び前記通常撮影モードを実行し、かつ前記色調補正モードを実行しない第３の撮影モードの間で、撮影モードを切り替える際に操作されることを特徴とする請求項１に記載の撮影装置。
【請求項４】
前記被写体の撮影時における光量不足を補うための発光を行う発光手段を更に備え、
前記発光手段により前記発光が行われない場合に、前記切替手段による前記色調補正モードへの移行を禁止する第１の禁止手段を更に備えたことを特徴とする請求項１〜請求項３の何れか１項記載の撮影装置。
【請求項５】
前記顔検出撮影モードが禁止されている場合に、前記切替手段による前記色調補正モードへの移行を禁止する第２の禁止手段を更に備えたことを特徴とする請求項１〜請求項４の何れか１項記載の撮影装置。
【請求項６】
被写体を撮影する際に、その時点で設定されている撮影モードを示すマークを表示する第１の表示、及び撮影画像情報を再生する際に、当該撮影画像情報を取得した撮影において設定されていた撮影モードを示すマークを表示する第２の表示の少なくとも一方の表示を行う表示手段
を更に備えたことを特徴とする請求項１〜請求項５の何れか１項記載の撮影装置。
【発明の詳細な説明】
【技術分野】
【０００１】
本発明は、撮影装置に係り、特に、顔領域に基づく撮影条件で撮影を行って撮影画像情報を得る顔検出撮影モードを有する撮影装置に関する。
【背景技術】
【０００２】
カメラにより被写体を撮影した場合、撮影時の光の反射状態によっては、撮影によって取得された画像上での被写体の色調が実際の色調と大きく相違することがある。例えば、ストロボを発光させて人を正面から撮影すると、暗い場所で瞳孔が開いた状態となっている人の眼部に対しストロボ光が正面から入射して正反射されることで、撮影によって取得された画像における人の瞳が赤色又は金色を帯びる色調不良（所謂赤目）を生じることがある。
【０００３】
この問題を解消するために、特許文献１には、デジタルカメラに赤目の補正を行う赤目補正モードへの移行を指示するための赤目補正モードスイッチを設け、当該スイッチに対する操作により赤目補正モードに移行された場合に、被写体を撮影することによって取得された撮影画像情報から人の瞳領域を検出し、検出した瞳領域が赤目であるか否かを判定し、赤目であるならば赤目補正をすべきレベルかどうかを判定して、補正をすべきレベルと判定した場合に赤目補正を行う技術が開示されている。
【特許文献１】特開２００５−１９１６８７公報
【発明の開示】
【発明が解決しようとする課題】
【０００４】
しかしながら、上記特許文献１に開示されている技術では、赤目補正モードに移行させる際に操作される専用の操作手段（スイッチ）を備えなければならず、この結果として、装置のコストの上昇及び大型化を招く、という問題点があった。
【０００５】
本発明は上記問題点を解決するためになされたものであり、コストの上昇及び大型化を招くことなく色調不良の補正を行う色調補正モードへの切り替えを行うことのできる撮影装置を提供することを目的とする。
【課題を解決するための手段】
【０００６】
上記目的を達成するために、請求項１の発明は、被写体を撮像して当該被写体を示す画像情報を取得する撮像手段と、前記撮像手段により取得された前記画像情報により示される被写体から人の顔の領域である顔領域を検出する顔検出手段と、撮影の実行指示が入力された場合に前記顔検出手段による顔領域の検出を伴う前記撮像手段を用いた撮影を行って撮影画像情報を得る顔検出撮影モード、及び撮影の実行指示が入力された場合に前記顔領域の検出を行うことなく前記撮像手段を用いた撮影を行って撮影画像情報を得る通常撮影モードの間で、撮影モードを切り替える際に操作される操作手段と、前記操作手段に対する操作に連動して、前記撮影画像情報により示される被写体における人の瞳の領域である瞳領域に色調不良が生じている場合に当該色調不良の補正を行う色調補正モードへの移行、及び当該色調補正モードからの復帰を切り替える切替手段と、を備えている。
【０００７】
請求項１に記載の撮影装置によれば、撮像手段によって被写体が撮像されて当該被写体を示す画像情報が取得され、顔検出手段によって撮像手段により取得された画像情報により示される被写体から人の顔の領域である顔領域が検出される。
【０００８】
なお、上記撮像手段には、ＣＣＤ（Ｃｈａｒｇｅ  Ｃｏｕｐｌｅｄ  Ｄｅｖｉｃｅ）エリアセンサ、ＣＭＯＳ（Ｃｏｍｐｌｅｍｅｎｔａｒｙ  Ｍｅｔａｌ-Ｏｘｉｄｅ  Ｓｅｍｉｃｏｎｄｕｃｔｏｒ）イメージセンサ等の固体撮像素子が含まれる。
【０００９】
ここで、本発明では、操作手段が、顔検出撮影モード及び通常撮影モードの間で、撮影モードを切り替える際に操作される。なお、顔検出撮影モードは、撮影の実行指示が入力された場合に顔検出手段による顔領域の検出を伴う撮像手段を用いた撮影を行って撮影画像情報を得る撮影モードであり、通常撮影モードは、撮影の実行指示が入力された場合に顔領域の検出を行うことなく撮像手段を用いた撮影を行って撮影画像情報を得る撮影モードである。そして、本発明では、切替手段によって、操作手段に対する操作に連動して、撮影画像情報により示される被写体における人の瞳の領域である瞳領域に色調不良が生じている場合に当該色調不良の補正を行う色調補正モードへの移行、及び色調補正モードからの復帰が切り替えられる。
【００１０】
なお、上記操作手段には、スライドスイッチ、押圧スイッチ、回転スイッチ等の各種スイッチが含まれる。
【００１１】
すなわち、本発明では、顔検出撮影モードと通常撮影モードとの間で、撮影モードを切り替える際に操作される操作手段を、色調補正モードへの移行、及び色調補正モードからの復帰を切り替えるものとして兼用しており、これによって、装置のコストの上昇及び大型化を招くことなく色調補正モードへの移行ができるようにしている。
【００１２】
このように、請求項１に記載の撮影装置によれば、撮影モードを切り替える際に操作される操作手段に対する操作に連動して、色調補正モードへの移行、及び色調補正モードからの復帰を切り替えているので、コストの上昇及び大型化を招くことなく色調補正モードへの切り替えを行うことができる。
【００１３】
なお、本発明の撮影装置には、デジタル電子スチルカメラ、デジタルビデオカメラ、携帯電話機、ＰＤＡ（Ｐｅｒｓｏｎａｌ  Ｄｉｇｉｔａｌ  Ａｓｓｉｓｔａｎｔ、携帯情報端末）等の撮影機能を有する情報機器が含まれる。
【００１４】
なお、本発明は、請求項２に記載の発明のように、前記操作手段が、前記顔検出撮影モード及び前記色調補正モードを実行する第１の撮影モード、前記顔検出撮影モードを実行し、かつ前記色調補正モードを実行しない第２の撮影モード、及び前記通常撮影モードを実行し、かつ前記色調補正モードを実行しない第３の撮影モードの間で、撮影モードを切り替える際に操作されるものとしてもよい。これにより、コストの上昇及び大型化を招くことなく、第１の撮影モード、第２の撮影モード、及び第３の撮影モードの間で撮影モードを切り替えることができる。
【００１５】
また、本発明は、請求項３に記載の発明のように、前記操作手段が、前記顔検出撮影モード及び前記色調補正モードを実行する第１の撮影モード、及び前記通常撮影モードを実行し、かつ前記色調補正モードを実行しない第３の撮影モードの間で、撮影モードを切り替える際に操作されるものとしてもよい。これにより、コストの上昇及び大型化を招くことなく、第１の撮影モード、及び第３の撮影モードの間で撮影モードを切り替えることができる。
【００１６】
また、本発明は、請求項４に記載の発明のように、前記被写体の撮影時における光量不足を補うための発光を行う発光手段を更に備え、前記発光手段により前記発光が行われない場合に、前記切替手段による前記色調補正モードへの移行を禁止する第１の禁止手段を更に備えたものとしてもよい。これにより、被写体における瞳の色調不良が生じ得ない状況における、無駄な色調補正モードへの移行を防止することができる。
【００１７】
また、本発明は、請求項５に記載の発明のように、前記顔検出撮影モードが禁止されている場合に、前記切替手段による前記色調補正モードへの移行を禁止する第２の禁止手段を更に備えたものとしてもよい。これにより、顔検出撮影モードが禁止されている場合における、色調補正モードへの移行を防止することができる。
【００１８】
また、本発明は、請求項６に記載の発明のように、被写体を撮影する際に、その時点で設定されている撮影モードを示すマークを表示する第１の表示、及び撮影画像情報を再生する際に、当該撮影画像情報を取得した撮影において設定されていた撮影モードを示すマークを表示する第２の表示の少なくとも一方の表示を行う表示手段を更に備えたものとしてもよい。これにより、被写体を撮影する際に、その時点で設定されている撮影モードの把握、及び撮影画像情報を再生する際における、当該撮影画像情報を取得した撮影において設定されていた撮影モードの把握の少なくとも一方が容易にできる。
【発明の効果】
【００１９】
以上説明した如く、本発明によれば、コストの上昇及び大型化を招くことなく色調不良の補正を行う色調補正モードへの切り替えを行うことができる、という優れた効果を有する。
【発明を実施するための最良の形態】
【００２０】
以下、図面を参照して、本発明の実施の形態について詳細に説明する。なお、本実施の形態では、本発明をデジタル電子スチルカメラ（以下、「デジタルカメラ」という。）、に適用した場合について説明する。
【００２１】
まず、図１を参照して、本実施の形態に係るデジタルカメラ１０の外観上の構成を説明する。
【００２２】
同図に示すように、デジタルカメラ１０の正面には、被写体像を結像させるためのレンズ１２と、被写体の撮影時における光量不足を補うための発光を行うストロボ１４と、が備えられている。また、デジタルカメラ１０の上面には、撮影を実行する際にユーザによって押圧操作されるレリーズスイッチ（所謂シャッター）１６と、電源スイッチ１８と、が備えられている。
【００２３】
なお、本実施の形態に係るレリーズスイッチ１６は、中間位置まで押下される状態（以下、「半押し状態」という。）と、当該中間位置を超えた最終押下位置まで押下される状態（以下、「全押し状態」という。）と、の２段階の押圧操作が検出可能に構成されている。そして、本実施の形態に係るデジタルカメラ１０では、レリーズスイッチ１６を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすることにより、撮影の実行指示が入力されたものとして、露光（撮影）が行われる。
【００２４】
一方、デジタルカメラ１０の背面には、撮影によって取得された撮影画像情報により示される被写体像や各種メニュー画面、メッセージ等を表示するための液晶ディスプレイ（以下、「ＬＣＤ」という。）２０と、撮影を行うモードである撮影モード及び撮影によって取得された画像情報により示される被写体像をＬＣＤ２０に再生するモードである再生モードの何れかのモードに切り替える際に操作されるモード切替スイッチ２２と、ＬＣＤ２０の表示領域における上下左右の４方向の移動方向を示す４つの矢印キーを含んで構成された十字カーソルスイッチ２４と、以後の撮影時にストロボ１４を強制的に発光させるモードである強制発光モードへの移行及び当該強制発光モードからの復帰を行う際に操作される強制発光スイッチ２６と、レリーズスイッチ１６が全押し状態とされた際に後述する顔検出回路１２８（図２も参照。）によって検出された人の顔の領域である顔領域に基づく撮影条件で撮影を行って画像情報（以下、「撮影画像情報」という。）を得る顔検出撮影モード、及びレリーズスイッチ１６が全押し状態とされた際に顔領域の検出を行うことなく撮影を行って撮影画像情報を得る通常撮影モードの間で、撮影モードを切り替える際に操作される顔検出制御スイッチ２８と、が備えられている。
【００２５】
次に、図２を参照して、本実施の形態に係るデジタルカメラ１０の電気系の要部構成を説明する。
【００２６】
同図に示すように、デジタルカメラ１０は、前述のレンズ１２を含んで構成された光学ユニット１００と、レンズ１２の光軸後方に配設されたＣＣＤエリアセンサ１０２と、入力されたアナログ信号に対して各種のアナログ信号処理を行うアナログ信号処理部１０４と、を含んで構成されている。
【００２７】
また、デジタルカメラ１０は、入力されたアナログ信号をデジタル情報に変換するアナログ／デジタル変換器（以下、「ＡＤＣ」という。）１０６と、入力されたデジタル情報に対して各種のデジタル信号処理を行うデジタル信号処理部１０８と、を含んで構成されている。
【００２８】
なお、デジタル信号処理部１０８は、所定容量のラインバッファを内蔵し、入力されたデジタル情報を後述するメモリ１１４の所定領域に直接記憶させる制御も行う。
【００２９】
ＣＣＤエリアセンサ１０２の出力端はアナログ信号処理部１０４の入力端に、アナログ信号処理部１０４の出力端はＡＤＣ１０６の入力端に、ＡＤＣ１０６の出力端はデジタル信号処理部１０８の入力端に、各々接続されている。従って、ＣＣＤエリアセンサ１０２から出力された被写体像を示すアナログ信号はアナログ信号処理部１０４によって所定のアナログ信号処理が施され、ＡＤＣ１０６によってデジタル画像情報に変換された後にデジタル信号処理部１０８に入力される。
【００３０】
一方、デジタルカメラ１０は、被写体像やメニュー画面等をＬＣＤ２０に表示させるための信号を生成してＬＣＤ２０に供給するＬＣＤインタフェース１１２と、デジタルカメラ１０全体の動作を司るＣＰＵ（Ｃｅｎｔｒａｌ  Ｐｒｏｃｅｓｓｉｎｇ  Ｕｎｉｔ）１１０と、撮像により取得されたデジタル画像情報等を一時的に記憶するメモリ１１４と、メモリ１１４に対するアクセスの制御を行うメモリインタフェース１１６と、を含んで構成されている。
【００３１】
更に、デジタルカメラ１０は、可搬型のメモリカード１１８をデジタルカメラ１０でアクセス可能とするための外部メモリインタフェース１２０と、撮影画像情報に対する圧縮処理及び伸張処理を行う圧縮・伸張処理回路１２２と、ＡＦ機能を働かせるために必要とされる物理量（本実施の形態では、ＣＣＤエリアセンサ１０２による撮像によって得られた画像のコントラスト評価値。）を検出するＡＦ検出回路１２４と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、ＣＣＤエリアセンサ１０２による撮像によって得られた画像の明るさを示す量。）を検出するＡＥ・ＡＷＢ検出回路１２６と、を含んで構成されている。
【００３２】
さらに、デジタルカメラ１０は、ＣＣＤエリアセンサ１０２により取得されたデジタル画像情報により示される被写体から人の顔領域を検出する顔検出回路１２８と、撮影画像情報により示される被写体における人の瞳の領域である瞳領域に赤目が生じている場合に当該赤目の補正を行う赤目補正回路１３０と、を備えている。
【００３３】
なお、本実施形態に係る顔検出回路１２８は、例えば、予め人物の肌色に対応する色差信号の範囲を決定し、記憶しておき、ＣＣＤエリアセンサ１０２による撮像によって取得された被写体像を示すデジタル画像情報の各画素の色差信号がその範囲内にあるか否かを判定し、肌色を有する一まとまりの領域を肌色領域として抽出する。次いで、抽出した肌色領域内に目、鼻、口、眉などの肌色でないパターンが含まれるか否かを判定し、これらのパターンが含まれている場合に、該肌色領域を顔領域と判定する。なお、顔領域の検出の方法は、これに限定されず他の従来既知の方法を用いてもよい。
【００３４】
また、本実施の形態に係る赤目補正回路１３０は、撮影画像領域により示される被写体における人の瞳領域に赤目の色に相当する色差範囲の小領域が存在する場合に、赤目が生じていると判断し、当該小領域を人の瞳の色として適用し得る色（例えば黒色）に変換する赤目補正を行う。このように撮影画像情報に対して赤目補正を実行する撮影モードを赤目補正モードという。なお、赤目補正の方法は、これに限定されず他の従来既知の方法を用いてもよい。
【００３５】
デジタル信号処理部１０８、ＬＣＤインタフェース１１２、ＣＰＵ１１０、メモリインタフェース１１６、外部メモリインタフェース１２０、圧縮・伸張処理回路１２２、ＡＦ検出回路１２４、ＡＥ・ＡＷＢ検出回路１２６、顔検出回路１２８、及び赤目補正回路１３０はシステムバス１３１を介して相互に接続されている。従って、ＣＰＵ１１０は、デジタル信号処理部１０８、圧縮・伸張処理回路１２２、顔検出回路１２８、及び赤目補正回路１３０の作動の制御、ＬＣＤ２０に対するＬＣＤインタフェース１１２を介した各種情報の表示、メモリ１１４及びメモリカード１１８へのメモリインタフェース１１６ないし外部メモリインタフェース１２０を介したアクセスを行うことができる。
【００３６】
一方、デジタルカメラ１０には、主としてＣＣＤエリアセンサ１０２を駆動させるためのタイミング信号を生成してＣＣＤエリアセンサ１０２に供給するタイミングジェネレータ１３２が備えられており、ＣＣＤエリアセンサ１０２の駆動はＣＰＵ１１０によりタイミングジェネレータ１３２を介して制御される。
【００３７】
更に、デジタルカメラ１０にはモータ駆動部１３４が備えられており、光学ユニット１００に備えられた図示しない焦点調整モータ、ズームモータ及び絞り駆動モータの駆動もＣＰＵ１１０によりモータ駆動部１３４を介して制御される。
【００３８】
一方、前述のレリーズスイッチ１６、電源スイッチ１８、モード切替スイッチ２２、十字カーソルスイッチ２４、強制発光スイッチ２６、及び顔検出制御スイッチ２８の各種スイッチ類（同図では、「操作部１３６」と総称。）はＣＰＵ１１０に接続されており、ＣＰＵ１１０は、これらの操作部１３６に対する操作状態を常時把握できる。
【００３９】
また、デジタルカメラ１０には、ストロボ１４とＣＰＵ１１０との間に介在されると共に、ＣＰＵ１１０の制御によりストロボ１４を発光させるための電力を充電する充電部１３８が備えられている。更に、ストロボ１４はＣＰＵ１１０にも接続されており、ストロボ１４の発光はＣＰＵ１１０によって制御される。
【００４０】
なお、ＣＰＵ１１０は、撮影の際に、強制発光スイッチ２６によって強制発光モードに設定されている場合にはストロボ１４を強制的に発光させる。また、強制発光モードに設定されていない場合であっても、ＣＣＤエリアセンサ１０２を介して取得されたデジタル画像情報により示される被写体の明るさが所定レベルより低い場合には、ＣＰＵ１１０はストロボ１４を発光させる。
【００４１】
なお、本実施の形態に係るデジタルカメラ１０はＥｘｉｆ（Ｅｘｃｈａｎｇｅａｂｌｅ  Ｉｍａｇｅ  Ｆｉｌｅ Ｆｏｒｍａｔ）規格に対応しており、撮影を行って得られた撮影画像情報はＥｘｉｆ規格の電子化ファイル（画像ファイル）としてメモリカード１１８に記憶される。そして、当該撮影画像情報を取得した撮影時に設定されていた撮影モードに関する情報をＥｘｉｆ規格の画像ファイルに含まれるタグ領域に記憶する。
【００４２】
次に、本実施の形態に係るデジタルカメラ１０の撮影時における全体的な動作について簡単に説明する。
【００４３】
まず、ＣＣＤエリアセンサ１０２は、光学ユニット１００を介した撮像を行い、被写体像を示すＲ（赤）、Ｇ（緑）、Ｂ（青）毎のアナログ信号をアナログ信号処理部１０４に順次出力する。アナログ信号処理部１０４は、ＣＣＤエリアセンサ１０２から入力されたアナログ信号に対して相関二重サンプリング処理等のアナログ信号処理を施した後にＡＤＣ１０６に順次出力する。
【００４４】
ＡＤＣ１０６は、アナログ信号処理部１０４から入力されたＲ、Ｇ、Ｂ毎のアナログ信号を各々一例として１２ビットのＲ、Ｇ、Ｂの信号（デジタル画像情報）に変換してデジタル信号処理部１０８に順次出力する。デジタル信号処理部１０８は、内蔵しているラインバッファにＡＤＣ１０６から順次入力されるデジタル画像情報を蓄積して一旦メモリ１１４の所定領域に直接格納する。
【００４５】
メモリ１１４の所定領域に格納されたデジタル画像情報は、ＣＰＵ１１０による制御に応じてデジタル信号処理部１０８により読み出され、所定の物理量に基づくデジタルゲインをかけることでホワイトバランス調整を行なうと共に、ガンマ処理及びシャープネス処理を行なって所定ビット、例えば８ビットのデジタル画像情報を生成する。
【００４６】
そして、デジタル信号処理部１０８は、生成した所定ビットのデジタル画像情報に対しＹＣ信号処理を施して輝度信号Ｙとクロマ信号Ｃｒ、Ｃｂ（以下、「ＹＣ信号」という。）を生成し、ＹＣ信号をメモリ１１４の上記所定領域とは異なる領域に格納する。
【００４７】
なお、ＬＣＤ２０は、ＣＣＤエリアセンサ１０２による連続的な撮像によって取得された動画像（スルー画像）を表示してファインダとして使用することができるものとして構成されており、ＬＣＤ２０をファインダとして使用する場合には、生成したＹＣ信号を、ＬＣＤインタフェース１１２を介して順次ＬＣＤ２０に出力する。これによってＬＣＤ２０にスルー画像が表示されることになる。
【００４８】
ここで、レリーズスイッチ１６がユーザによって半押し状態とされた場合、前述のようにＡＥ機能が働いて露出状態が設定された後、ＡＦ機能が働いて合焦制御される。このとき、顔検出制御スイッチ２８に対する操作により顔検出撮影モードに移行している場合は、デジタル画像情報により示される被写体から検出された顔領域に基づく撮影条件で撮影が行われる。具体的には、検出された顔領域の明るさに基づいて露出状態の設定とホワイトバランス調整の調整が行われ、検出された顔領域のコントラスト評価値に基づいて合焦制御が行われる。その後、引き続き全押し状態とされた場合、この時点でメモリ１１４に格納されているＹＣ信号を取得し、圧縮・伸張処理回路１２２によって所定の圧縮形式（本実施の形態では、ＪＰＥＧ形式）で圧縮した後に外部メモリインタフェース１２０を介してメモリカード１１８に記録する。
【００４９】
ところで、本実施の形態に係るデジタルカメラ１０では、前述したように顔検出制御スイッチ２８が操作されることで、撮影モードが切り替えられる。図３には、この際のＬＣＤ２０の表示状態の推移の一例が示されている。
【００５０】
同図に示されるように本実施の形態に係るデジタルカメラ１０では、顔検出制御スイッチ２８が押圧操作される毎に、ＬＣＤ２０に表示される画面は、通常撮影モードを実行し、かつ赤目補正モードを実行しない撮影モード（同図に示す例では「顔検出  ＯＦＦ」、「赤目補正  ＯＦＦ」、本発明の第３の撮影モードに相当し、以下「第３の撮影モード」という。）に移行されたことを示す画面（図３（Ａ））、顔検出撮影モード及び赤目補正モードを実行する撮影モード（同図に示す例では「顔検出  ＯＮ」、「赤目補正  ＯＮ」、本発明の第１の撮影モードに相当し、以下「第１の撮影モード」という。）に移行されたことを示す画面（図３（Ｂ））、顔検出撮影モードを実行し、かつ赤目補正モードを実行しない撮影モード（同図に示す例では「顔検出  ＯＮ」、「赤目補正  ＯＦＦ」、本発明の第２の撮影モードに相当し、以下「第２の撮影モード」という。）に移行されたことを示す画面（図３（Ｃ））、の間で切り替えられる。
【００５１】
なお、撮影モードが、例えば、風景を撮影する場合に適した風景撮影モード、花や虫等を接写するのに適したマクロ撮影モード等、人の顔の撮影を想定しない撮影モードとされており、顔検出撮影モードが禁止されている場合は、赤目補正モードへの移行を禁止するので顔検出制御スイッチ２８の押圧操作の如何に係わらず図３（Ａ）に示される撮影モードに固定する。
【００５２】
一方、図４には、ストロボ１４の発光が行われることのない撮影モードであるストロボ発光禁止撮影モードに切り替えられている際に、顔検出制御スイッチ２８が押圧操作されることで推移するＬＣＤ２０の表示状態の一例が示されている。
【００５３】
この場合、顔検出制御スイッチ２８が押圧操作される毎に、ＬＣＤ２０に表示される画面は、通常撮影モードを実行し、かつ赤目補正モードを実行しない第３の撮影モード（同図に示す例では「顔検出  ＯＦＦ」、「赤目補正  ＯＦＦ」）に移行されたことを示す画面（図４（Ａ））、顔検出撮影モードを実行し、かつ赤目補正モードを実行しない第２の撮影モード（同図に示す例では「顔検出  ＯＮ」、「赤目補正  ＯＦＦ」）に移行されたことを示す画面（図４（Ｂ））、の間で切り替えられる。
【００５４】
次に、図５に示されるフローチャートを参照して、顔検出制御スイッチ２８が押圧操作された際の作用を説明する。なお、図５は、このときにデジタルカメラ１０のＣＰＵ１００で実行される割り込み処理の流れを示すフローチャートである。
【００５５】
まず、同図のステップ２００で、顔検出撮影モードが禁止されている撮影モードに設定されているか否かを判定し、否定判定の場合には次のステップ２０２へ移行し、肯定判定の場合にはステップ２１６へ移行する。
【００５６】
ステップ２０２では、ストロボ１４の発光が行われることのない撮影モードに設定されているか否かを判定し、肯定判定の場合には次のステップ２２０へ移行し、否定判定の場合にはステップ２０４へ移行する。
【００５７】
ステップ２０４では、ＬＣＤ２０に顔検出及び赤目補正をＯＦＦとする画面（図３（Ａ））が表示されたか否かを判定し、肯定判定の場合はステップ２０６へ移行し、否定判定の場合はステップ２０８へ移行する。
【００５８】
ステップ２０６では、通常撮影モードを実行し、かつ赤目補正モードを実行しない第３の撮影モードへ移行し、その後、本撮影モード設定プログラムを終了する。
【００５９】
ステップ２０８では、ＬＣＤ２０に顔検出及び赤目補正をＯＮとする画面（図３（Ｂ））が表示されたか否かを判定し、肯定判定の場合はステップ２１０へ移行し、否定判定の場合はステップ２１２へ移行する。
【００６０】
ステップ２１０では、顔検出撮影モードを実行し、かつ赤目補正モードを実行する第１の撮影モードへ移行し、その後、本撮影モード設定プログラムを終了する。
【００６１】
ステップ２１２では、ＬＣＤ２０に顔検出をＯＮ、及び赤目補正をＯＦＦとする画面（図３（Ｃ））を表示し、次のステップ２１４で、顔検出撮影モードを実行し、かつ赤目補正モードを実行しない第２の撮影モードへ移行し、その後、本撮影モード設定プログラムを終了する。
【００６２】
一方、ステップ２１６では、ＬＣＤ２０に顔検出及び赤目補正をＯＦＦとする画面（図３（Ａ））を表示し、次のステップ２１８で、通常撮影モードを実行し、かつ赤目補正モードを実行しない第３の撮影モードへ移行し、その後、本撮影モード設定プログラムを終了する。
【００６３】
一方、ステップ２２０では、ＬＣＤ２０に顔検出及び赤目補正をＯＦＦとする画面（図４（Ａ））が表示されたか否かを判定し、肯定判定の場合はステップ２２２へ移行し、否定判定の場合はステップ２２４へ移行する。
【００６４】
ステップ２２２では、通常撮影モードを実行し、かつ赤目補正モードを実行しない第３の撮影モードへ移行し、その後、本撮影モード設定プログラムを終了する。
【００６５】
ステップ２２４では、ＬＣＤ２０に顔検出をＯＮ、及び赤目補正をＯＦＦとする画面（図４（Ｂ））が表示され、次のステップ２２６で、顔検出撮影モードを実行し、かつ赤目補正モードを実行しない第２の撮影モードへ移行し、その後、本撮影モード設定プログラムを終了する。
【００６６】
次に、図６を参照して、被写体を撮影する際に、その時点で設定されている撮影モードを示すマーク（アイコン）の表示を行うＬＣＤ２０について説明する。
【００６７】
図６（Ａ）は設定されている撮影モードが第３の撮影モードである場合を示しており、この場合、その旨を示すマーク１５０ＡをＬＣＤ２０が自身の上方左側に表示する。また、図６（Ｂ）は設定されている撮影モードが第１の撮影モードである場合を示しており、この場合、その旨を示すマーク１５０ＢをＬＣＤ２０が自身の上方左側に表示する。また、図６（Ｃ）は設定されている撮影モードが第２の撮影モードである場合を示しており、この場合、その旨を示すマーク１５０ＣをＬＣＤ２０が自身の上方左側に表示する。
【００６８】
次に、図７を参照して、撮影画像情報を再生する際に、当該撮影画像情報を取得した撮影において設定されていた撮影モードを示すマーク（アイコン）の表示を行うＬＣＤ２０について説明する。この際、Ｅｘｉｆ規格の画像ファイルからＬＣＤ２０が再生する撮影画像情報と、当該撮影画像情報毎の撮影モードに関する情報とを読み出し、当該撮影モードに関する情報に基づいてＬＣＤ２０で表示されるマークが決定される。
【００６９】
図７（Ａ）は、ＬＣＤ２０が再生する撮影画像情報を取得した撮影において設定されていた撮影モードが第３の撮影モードであった場合を示しており、この場合、マーク１５０Ａと、撮影画像情報の再生を示すマーク１５２とをＬＣＤ２０が自身の上方左側に表示する。また、図７（Ｂ）は、ＬＣＤ２０が再生する撮影画像情報を取得した撮影において設定されていた撮影モードが第１の撮影モードであった場合を示しており、この場合、マーク１５０Ｂをマーク１５２と共にＬＣＤ２０が自身の上方左側に表示する。また、図７（Ｃ）は、ＬＣＤ２０が再生する撮影画像情報を取得した撮影において設定されていた撮影モードが第２の撮影モードであった場合を示しており、この場合、マーク１５０Ｃをマーク１５２と共にＬＣＤ２０が自身の上方左側に表示する。
【００７０】
以上説明したように、本実施の形態では、撮像手段（ここでは、ＣＣＤエリアセンサ１０２）によって被写体を撮像して当該被写体を示す画像情報を取得し、顔検出手段（ここでは、顔検出回路１２８）によって撮像手段により取得された画像情報により示される被写体から人の顔の領域である顔領域を検出し、操作手段（ここでは、顔検出制御スイッチ２８）が、顔検出撮影モード及び通常撮影モードの間で、撮影モードを切り替える際に操作され、切替手段（ここでは、ＣＰＵ１１０）によって、操作手段に対する操作に連動して、撮影画像情報により示される被写体における人の瞳の領域である瞳領域に色調不良が生じている場合に当該色調不良の補正を行う色調補正モードへの移行、及び色調補正モードからの復帰が切り替えられるので、コストの上昇及び大型化を招くことなく色調不良の補正を行う色調補正モードへの切り替えを行うことができる。
【００７１】
また、本実施の形態では、操作手段は、顔検出撮影モード及び色調補正モードを実行する第１の撮影モード、顔検出撮影モードを実行し、かつ色調補正モードを実行しない第２の撮影モード、及び通常撮影モードを実行し、かつ色調補正モードを実行しない第３の撮影モードの間で、撮影モードを切り替える際に操作されるので、コストの上昇及び大型化を招くことなく、第１の撮影モード、第２の撮影モード、及び第３の撮影モードの間で撮影モードを切り替えることができる。
【００７２】
さらに、本実施の形態では、操作手段は、顔検出撮影モード及び色調補正モードを実行する第１の撮影モード、及び通常撮影モードを実行し、かつ色調補正モードを実行しない第３の撮影モードの間で、撮影モードを切り替える際に操作されるので、コストの上昇及び大型化を招くことなく、第１の撮影モード、及び第３の撮影モードの間で撮影モードを切り替えることができる。
【００７３】
また、本実施の形態では、被写体の撮影時における光量不足を補うための発光を行う発光手段を更に備え、発光手段（ここでは、ストロボ１４）により発光が行われない場合に、切替手段による色調補正モードへの移行を禁止する第１の禁止手段（ここでは、ＣＰＵ１１０）を更に備えたので、被写体における瞳の色調不良が生じ得ない状況における、無駄な色調補正モードへの移行を防止することができる。
【００７４】
さらに、本実施の形態では、顔検出撮影モードが禁止されている場合に、切替手段による色調補正モードへの移行を禁止する第２の禁止手段（ここでは、ＣＰＵ１１０）を更に備えたので、顔検出撮影モードが禁止されている場合のおける、色調補正モードへの移行を防止することができる。
【００７５】
さらに、本実施の形態では、被写体を撮影する際に、その時点で設定されている撮影モードを示すマークを表示する第１の表示（ここでは、ＬＣＤ２０）、及び撮影画像情報を再生する際に、当該撮影画像情報を取得した撮影において設定されていた撮影モードを示すマークを表示する第２の表示（ここでは、ＬＣＤ２０）の少なくとも一方の表示を行う表示手段を更に備えたので、被写体を撮影する際に、その時点で設定されている撮影モードの把握、及び撮影画像情報を再生する際における、当該撮影画像情報を取得した撮影において設定されていた撮影モードの把握の少なくとも一方が容易にできる。
【００７６】
なお、本実施の形態では、図３に示されるように、顔検出制御スイッチ２８が押圧操作される毎に、第１の撮影モード、第２の撮影モード、及び第３の撮影モードの３種類の撮影モードの間で、撮影モードを切り替える場合について説明したが、本発明はこれに限定されるものではなく、例えば、一例として図８に示されるように、顔検出制御スイッチ２８が押圧操作される毎に、第３の撮影モードに移行されたことを示す画面（図８（Ａ））、及び第１の撮影モードに移行されたことを示す画面（図８（Ｂ））の２種類の撮影モードの間で、撮影モードを切り替える形態とすることもできる。この場合も、本実施の形態と同様の効果を奏することができる。
【００７７】
また、本実施の形態では、顔検出制御スイッチ２８が操作されたタイミングで撮影モードを切り替える場合について説明したが、本発明はこれに限定されるものではなく、例えば、顔検出制御スイッチ２８が操作されたタイミングで移行後の撮影モードを示す画面を表示した後、顔検出制御スイッチ２８を除く決定スイッチが操作されたタイミングで撮影モードを切り替える形態とすることもできる。この場合、撮影モードの変更をユーザが確認することができ、利便性を向上させることができる。
【００７８】
また、本実施の形態では、Ｅｘｉｆ規格の画像ファイルのタグ領域を利用して、撮影画像情報と、当該撮影画像情報を取得した撮影時に設定されている撮影モードに関する情報とを関連付けて記憶する場合について説明したが、本発明はこれに限定されるものではなく、例えば、撮影画像情報を記憶する画像ファイルとは別の電子化ファイルにより、撮影画像情報と、撮影画像情報に対応する撮影モードとを関連付けて記憶する形態、あるいは撮影画像情報のファイル名に撮影モードを示す情報を埋め込む形態等とすることもできる。この場合も、本実施の形態と同様の効果を奏することができる。
【００７９】
また、本実施の形態では、本発明のマークの形状や表示形態として図６及び図７に示したものを適用した場合について説明したが、本発明はこれに限定されるものではなく、他の形状や表示形態を適用することができることは言うまでもない。この場合も、本実施の形態と同様の効果を奏することができる。
【００８０】
また、本実施の形態では、赤目補正前の撮影画像情報をメモリカード１１８に記憶させない場合について説明したが、本発明はこれに限定されるものではなく、赤目補正前の撮影画像情報を赤目補正後の撮影画像情報に加えて記憶させる形態とすることもできる。この場合は、赤目補正が適切に行われなかった場合における対応が可能となり、利便性を向上させることができる。
【００８１】
また、本実施の形態では、本発明をデジタルカメラに適用した場合について説明したが、本発明はこれに限定されるものではなく、例えば、デジタルビデオカメラ、携帯電話機、ＰＤＡ等の撮影機能を有する他の情報機器に適用することができることも言うまでもない。
【００８２】
更に、本実施の形態では、顔検出及び赤目補正をハードウェア構成によって実現した場合について説明したが、本発明はこれに限定されるものではなく、コンピュータ・プログラムによりソフトウェア構成によって実現する形態とすることもできる。この場合、上記ハードウェア構成を削減することができる結果、本実施の形態に比較して、低コスト化及び小型化が可能となる。
【図面の簡単な説明】
【００８３】
【図１】実施の形態に係るデジタルカメラの外観を示す外観図である。
【図２】実施の形態に係るデジタルカメラの電気系の要部構成を示すブロック図である。
【図３】実施の形態に係るデジタルカメラにおいて顔検出制御スイッチを押圧操作した場合にＬＣＤに表示される画面の表示状態例を示す図である。
【図４】実施の形態に係るデジタルカメラにおいてストロボの発光が行われない撮影モードに切り替えられている際に、顔検出制御スイッチを押圧操作した場合にＬＣＤに表示される画面の表示状態例を示す図である。
【図５】実施の形態に係る撮影モード設定プログラムの処理の流れを示すフローチャートである。
【図６】実施の形態に係る被写体を撮影する際に、ＬＣＤが表示する撮影モードを示す図である。
【図７】実施の形態に係る撮影画像情報を再生する際に、ＬＣＤが表示する撮影モードを示す図である。
【図８】顔検出制御スイッチを押圧操作した場合にＬＣＤに表示される画面の表示状態例を示す図である。
【符号の説明】
【００８４】
１０    デジタルカメラ
２０    ＬＣＤ
３０    顔検出制御スイッチ
１０２  ＣＣＤエリアセンサ
１１０  ＣＰＵ
１２８  顔検出回路
１３０  赤目補正回路
【図１】
2009049639.tif 000003
【図２】
2009049639.tif 000004
【図３】
2009049639.tif 000005
【図４】
2009049639.tif 000006
【図５】
2009049639.tif 000007
【図６】
2009049639.tif 000008
【図７】
2009049639.tif 000009
【図８】
2009049639.tif 000010